(57)【特許請求の範囲】
【請求項１】
信号を受信する受信手段と、
前記受信手段が受信した各信号点の硬判定を行う硬判定手段と、
前記各信号点の平均値を計算する信号点平均値計算手段と、
前記信号点の中から希望信号電力を計算するために用いる信号点を選択する希望信号電力計算用信号点選択手段と、
前記希望信号電力を計算するために選択された信号点のそれぞれについて希望信号電力を計算する希望信号電力計算手段と、
前記希望信号電力の平均値を計算する希望信号電力平均値計算手段と、
前記信号点の中から干渉信号電力を計算するために用いる信号点を選択する干渉信号電力計算用信号点選択手段と、
前記干渉信号電力を計算するために選択された信号点のそれぞれについて干渉信号電力を計算する干渉信号電力計算手段と、
前記干渉信号電力の平均値を計算する干渉信号電力平均値計算手段と、
前記希望信号電力の平均値と前記干渉信号電力の平均値との比を計算するＳＩＲ計算手段と、を備えるＳＩＲ測定装置。
【請求項２】
さらに、複数の信号点の組み合わせ中から第１の組み合わせおよび第２の組み合わせを抽出し、
前記第１の組み合わせを前記希望信号電力計算用信号点選択手段に送出し、
前記第２の組み合わせを前記干渉信号電力計算用信号点選択手段に送出し、
前記ＳＩＲ計算手段が算出するＳＩＲを記憶し、
記憶されているＳＩＲと前記ＳＩＲ計算手段によって順次算出されるＳＩＲとを比較し、
比較の結果小さいと判断された方のＳＩＲを最小ＳＩＲとして記憶する、信号点選択制御手段を備える請求項１記載のＳＩＲ測定装置。
【請求項３】
信号を受信するステップと、
前記受信した各信号点の硬判定を行うステップと、
前記各信号点の平均値を計算するステップと、
前記信号点の中から希望信号電力を計算するために用いる信号点を選択するステップと、
前記希望信号電力を計算するために選択された信号点のそれぞれについて希望信号電力を計算するステップと、
前記希望信号電力の平均値を計算するステップと、
前記信号点の中から干渉信号電力を計算するために用いる信号点を選択するステップと、
前記干渉信号電力を計算するために選択された信号点のそれぞれについて干渉信号電力を計算するステップと、
前記干渉信号電力の平均値を計算するステップと、
前記希望信号電力の平均値と前記干渉信号電力の平均値との比を計算するステップと、を含むＳＩＲ測定方法。
【請求項４】
さらに、複数の信号点の組み合わせ中から第１の組み合わせおよび第２の組み合わせを抽出するステップと、
前記第１の組み合わせを前記希望信号電力の計算に使用させるステップと、
前記第２の組み合わせを前記干渉信号電力の計算に使用させるステップと、
計算されたＳＩＲを記憶するステップと、
記憶されているＳＩＲと順次算出されるＳＩＲとを比較するステップと、
比較によって小さいと判断されたＳＩＲを最小ＳＩＲとして記憶するステップと、を含む請求項３記載のＳＩＲ測定方法。
【請求項５】
コンピュータに、
信号を受信するステップと、
前記受信した各信号点の硬判定を行うステップと、
前記各信号点の平均値を計算するステップと、
前記信号点の中から希望信号電力を計算するために用いる信号点を選択するステップと、
前記希望信号電力を計算するために選択された信号点のそれぞれについて希望信号電力を計算するステップと、
前記希望信号電力の平均値を計算するステップと、
前記信号点の中から干渉信号電力を計算するために用いる信号点を選択するステップと、
前記干渉信号電力を計算するために選択された信号点のそれぞれについて干渉信号電力を計算するステップと、
前記干渉信号電力の平均値を計算するステップと、
前記希望信号電力の平均値と前記干渉信号電力の平均値との比を計算するステップと、を実行させるためのＳＩＲ測定プログラム。
【請求項６】
さらに、コンピュータに、
複数の信号点の組み合わせ中から第１の組み合わせおよび第２の組み合わせを抽出するステップと、
前記第１の組み合わせを前記希望信号電力の計算に使用させるステップと、
前記第２の組み合わせを前記干渉信号電力の計算に使用させるステップと、
計算されたＳＩＲを記憶するステップと、
記憶されているＳＩＲと順次算出されるＳＩＲとを比較するステップと、
比較によって小さいと判断されたＳＩＲを最小ＳＩＲとして記憶するステップと、を実行させるための請求項５記載のＳＩＲ測定プログラム。
【請求項７】
コンピュータに、
信号を受信するステップと、
前記受信した各信号点の硬判定を行うステップと、
前記各信号点の平均値を計算するステップと、
前記信号点の中から希望信号電力を計算するために用いる信号点を選択するステップと、
前記希望信号電力を計算するために選択された信号点のそれぞれについて希望信号電力を計算するステップと、
前記希望信号電力の平均値を計算するステップと、
前記信号点の中から干渉信号電力を計算するために用いる信号点を選択するステップと、
前記干渉信号電力を計算するために選択された信号点のそれぞれについて干渉信号電力を計算するステップと、
前記干渉信号電力の平均値を計算するステップと、
前記希望信号電力の平均値と前記干渉信号電力の平均値との比を計算するステップと、を実行させるＳＩＲ測定プログラムを記録したコンピュータ読み取り可能な記録媒体。
【請求項８】
さらに、コンピュータに、
複数の信号点の組み合わせ中から第１の組み合わせおよび第２の組み合わせを抽出するステップと、
前記第１の組み合わせを前記希望信号電力の計算に使用させるステップと、
前記第２の組み合わせを前記干渉信号電力の計算に使用させるステップと、
計算されたＳＩＲを記憶するステップと、
記憶されているＳＩＲと順次算出されるＳＩＲとを比較するステップと、
比較によって小さいと判断されたＳＩＲを最小ＳＩＲとして記憶するステップと、を実行させるＳＩＲ測定プログラム記録した請求項７記載のコンピュータ読み取り可能な記録媒体。
【発明の詳細な説明】
【０００１】
【発明の属する技術分野】
本発明は、ＳＩＲ測定装置、ＳＩＲ測定方法、ＳＩＲ測定プログラムおよびＳＩＲ測定プログラムを記録したコンピュータ読み取り可能な記録媒体に関し、特に多値変調を用いた無線通信に使用されるＳＩＲ測定技術に関する。
【０００２】
【従来の技術】
従来、携帯電話等の移動通信端末と基地局間において通信を実現する方法の一つとして、１６ＱＡＭ（直交振幅変調）等の多値変調方法が利用されている。１６ＱＡＭでは、４ビットの情報を格子型の信号点に配置することによって各種信号の送受信を行う。
【０００３】
一方、移動通信においてはＳＩＲ（希望信号対干渉信号電力比）の測定が必要である。ＩＭＴ−２０００  ＣＤＭＡ  ＴＤＤ（Ｉｎｔｅｒｎａｔｉｏｎａｌ  Ｍｏｂｉｌｅ  Ｔｅｌｅｃｏｍｍｕｎｉｃａｔｉｏｎｓ  ２０００  符号分割多元接続  時分割複信）に多値変調を適応したＨＳＤＰＡ（Ｈｉｇｈ  ＳｐｅｅｄＤｏｗｎｌｉｎｋ  Ｐａｃｋｅｔ  Ａｃｃｅｓｓ）においてはＳＩＲを測定することによって送信電力制御、ＭＣＳ（Ｍｏｄｕｌａｔｉｏｎ  ａｎｄ  Ｃｏｄｉｎｇ  Ｓｃｈｅｍｅ）の変更、パケットスケジューリングの制御が可能となる。
【０００４】
図９に基づいて従来のＳＩＲ測定方法を説明する。図９に示すように、ステップＳ３０１で受信信号を同相成分と直交成分とに分ける。ステップＳ３０３で同相成分、直交成分ごとに絶対値を計算する。ステップＳ３０５で絶対値から信号点の硬判定を行う。ステップＳ３０７で硬判定をした信号点ごとに平均値を計算する。ステップＳ３０９で全信号点のそれぞれについて希望信号電力を計算する。ステップＳ３１１で全信号点を用いて全希望信号電力を計算する。ステップＳ３１３で全信号点のそれぞれについて干渉信号電力を計算する。ステップＳ３１５で全信号点を用いて全干渉信号電力を計算する。ステップＳ３１７で全希望信号電力と全干渉信号電力とを用いてＳＩＲを計算する。従来のＳＩＲ測定方法はＣＤＭＡ方式にも適用可能な技術である。
【０００５】
【発明が解決しようとする課題】
しかしながら、上記従来技術には以下のような問題点があった。すなわち、硬判定で信号点を決定するため、干渉信号電力が大きい場合、他の信号点と誤って硬判定されてしまい、実際の干渉信号電力よりも小さく計算されてしまうことがあった。これはＳＩＲ判定誤り率を大きくする。かかる問題は１６ＱＡＭにおいて特に最も内側の信号点に関して生じる。
【０００６】
また、信号点を軟判定で決定する方法がある。しかしながら、軟判定で決定した情報から信号点を計算する必要があり、計算量が増大してしまうという問題がある。
【０００７】
本発明は、上記課題に鑑みてなされたものであり、計算量を増大させることなくＳＩＲ判定誤り率を小さくするＳＩＲ測定技術を提供することを目的とする。
【０００８】
【課題を解決するための手段】
本発明は、上記課題を解決するためになされたものであり、その第１の特徴は信号を受信する受信手段と、前記受信手段が受信した各信号点の硬判定を行う硬判定手段と、前記各信号点の平均値を計算する信号点平均値計算手段と、前記信号点の中から希望信号電力を計算するために用いる信号点を選択する希望信号電力計算用信号点選択手段と、前記希望信号電力を計算するために選択された信号点のそれぞれについて希望信号電力を計算する希望信号電力計算手段と、前記希望信号電力の平均値を計算する希望信号電力平均値計算手段と、前記信号点の中から干渉信号電力を計算するために用いる信号点を選択する干渉信号電力計算用信号点選択手段と、前記干渉信号電力を計算するために選択された信号点のそれぞれについて干渉信号電力を計算する干渉信号電力計算手段と、前記干渉信号電力の平均値を計算する干渉信号電力平均値計算手段と、前記希望信号電力の平均値と前記干渉信号電力の平均値との比を計算するＳＩＲ計算手段と、を備えることにある。
【０００９】
かかる発明によれば、受信した信号点の全てを用いて希望信号電力および干渉信号電力を計算するのではなく、受信した信号点の中から選択された信号点だけを用いて希望信号電力を計算するとともに、受信した信号点の中から選択された信号点だけを用いて干渉信号電力を計算することによって、ＳＩＲ判定誤り率を低下させることが可能となる。なお、希望信号電力の計算に使用される信号点の組み合わせと、干渉信号電力の計算に使用される信号点の組み合わせとは、同一であっても異なっていても良い。
【００１０】
また、上述の発明において、複数の信号点の組み合わせ中から第１の組み合わせおよび第２の組み合わせを抽出し、前記第１の組み合わせを前記希望信号電力計算用信号点選択手段に送出し、前記第２の組み合わせを前記干渉信号電力計算用信号点選択手段に送出し、前記ＳＩＲ計算手段が算出するＳＩＲを記憶し、記憶されているＳＩＲと前記ＳＩＲ計算手段によって順次算出されるＳＩＲとを比較し、比較の結果小さいと判断された方のＳＩＲを最小ＳＩＲとして記憶する、信号点選択制御手段を備えることが好ましい。
【００１１】
【発明の実施の形態】
以下、図面を参照しながら本発明の実施の形態を説明する。本実施の形態は１６ＱＡＭの場合である。
【００１２】
図１は本発明の実施の形態にかかるＳＩＲ測定装置の構成を示す機能ブロック図であり、図２は本発明の実施の形態におけるＳＩＲ測定方法の処理の流れを示すフローチャートである。
【００１３】
図１に示すように、実施の形態にかかるＳＩＲ測定装置は、
（ａ）信号を受信する受信部１０と、
（ｂ）受信部１０が受信した各信号点の硬判定を行う硬判定部１２と、
（ｃ）受信した各信号点の平均値を計算する信号点平均値計算部１４と、
（ｄ）希望信号電力を計算するために用いる信号点を選択する希望信号電力計算用信号点選択部１６と、
（ｅ）希望信号電力計算のために選択された信号点のそれぞれについて希望信号電力を計算する希望信号電力計算部１８と、
（ｆ）計算された希望信号電力の平均値を計算する希望信号電力平均値計算部２０と、
（ｇ）干渉信号電力を計算するために用いる信号点を選択する干渉信号電力計算用信号点選択部２２と、
（ｈ）干渉信号電力計算用のために選択された信号点のそれぞれについて干渉信号電力を計算する干渉信号電力計算部２４と、
（ｉ）計算された干渉信号電力の平均値を計算する干渉信号電力平均値計算部２６と、
（ｊ）希望信号電力平均値と干渉信号電力平均値との比を計算するＳＩＲ計算部２８と、を備える。
【００１４】
硬判定部１２は、ステップＳ１０１において受信信号Ｓｉ（１≦ｉ≦Ｎ）を同相成分ＳｉＩと直交成分ＳｉＱに分割する。硬判定部１２は、ステップＳ１０３において各成分の絶対値ＳｉＩ、ＳｉＱを計算する。ＳｉＩ、ＳｉＱの対応を下記の表１に示す。
【００１５】
【表１】
0003553047.tif 000002
硬判定部１２は、ステップＳ１０５において信号点の硬判定を行う。硬判定のために用いる受信信号の位相、振幅はパイロット信号、ＡＧＣ（Ａｕｔｏｍａｔｉｃ  Ｇａｉｎ  Ｃｏｎｔｒｏｌ）、ＡＦＣ（Ａｕｔｏｍａｔｉｃ  Ｆｒｅｑｕｅｎｃｙ  Ｃｏｎｔｒｏｌ）、Ｊｏｉｎｔ  ＤｅｔｅｃｔｉｏｎやＳｉｎｇｌｅＵｓｅｒ  Ｄｅｔｅｃｔｉｏｎによる方法で決定することができる。上記の方法で電力平均を１、位相を補償した場合における硬判定を下記の表２に示す。下記の表２は、送信時における１６ＱＡＭの信号点が平均電力を１とした場合に図３である場合を示している。各サンプル点において信号点Ｐｉ＝｛１，２，３，４｝を決定する。また、硬判定で決定された各信号点の数をＮ１、Ｎ２、Ｎ３、Ｎ４（Ｎ＝Ｎ１＋Ｎ２＋Ｎ３＋Ｎ４）とする。
【００１６】
【表２】
0003553047.tif 000003
信号点平均値計算部１４は、ステップＳ１０７において各信号点について平均値を計算する。平均値計算式を以下に示す。
【００１７】
【数１】
0003553047.tif 000004
希望信号電力計算用信号点選択部１６は、希望信号電力計算用の信号点を選択する。
【００１８】
希望信号電力計算部１８は、ステップＳ１０９において希望信号電力を計算する。希望信号電力計算式を以下に示す。
【００１９】
【数２】
0003553047.tif 000005
希望信号電力計算は、希望信号電力計算用信号点選択部１６が選択した信号点について行われる。希望信号電力計算用信号点選択部１６が選択する信号点と、後述する干渉信号電力計算用信号点選択部２２が選択する信号点とは、それぞれ予め決定される。
【００２０】
これら信号点は、ＳＩＲ測定値が最も小さくなるように決定することが好ましい。ＳＩＲ測定値が最も小さくなる信号点を決定する方法については、後述する。
【００２１】
本実施の形態では、全信号点を希望信号電力計算用信号点として使用する。一方、後述するように、干渉信号電力計算用信号点としては、Ｐ１、Ｐ２、Ｐ３だけを使用し、Ｐ４を使用しない。このように希望信号電力計算用信号点選択部１６が選択する信号点は、後述する干渉信号電力計算用信号点選択部２２が選択する信号点と異なっていても良い。しかし、異なっていなければならないということを意味するものではなく、両信号点が同じであっても良い。
【００２２】
希望信号電力平均値計算部２０は、ステップＳ１１１において希望信号電力の平均値を計算する。本実施の形態では、全ての信号点を用いて希望信号電力の平均値を計算するので、計算式は以下のようになる。
【００２３】
【数３】
Ｐｓ＝（Ｐｓ，１＊Ｎ１＋Ｐｓ，２＊Ｎ２＋Ｐｓ，３＊Ｎ３＋Ｐｓ，４＊Ｎ４）／Ｎ
干渉信号電力計算用信号点選択部２２は、希望信号電力計算用の信号点を選択する。干渉信号電力計算は、干渉信号電力計算用信号点選択部２２が選択した信号点について行われる。
【００２４】
本実施の形態では、干渉信号電力計算用信号点としては、Ｐ１、Ｐ２、Ｐ３だけを使用し、Ｐ４を使用しない。つまり、干渉信号電力計算用信号点選択部２２が選択する信号点は、希望信号電力計算用信号点選択部１６が選択する信号点と異なる。しかし、干渉信号電力計算用信号点選択部２２が選択する信号点は、希望信号電力計算用信号点選択部１６が選択する信号点と同じであっても良い。
【００２５】
干渉信号電力計算部２４は、ステップＳ１１３において各信号点について受信信号と平均値との差から干渉信号電力を計算する。干渉信号電力計算式を以下に示す。
【００２６】
【数４】
0003553047.tif 000006
干渉信号電力平均値計算部２６は、ステップＳ１１５において干渉信号電力の平均値を計算する。本実施の形態では、干渉信号電力Ｐｎ，１、Ｐｎ，２、Ｐｎ，３だけを用いて干渉信号電力の平均値を計算するので、計算式は以下のようになる。
【００２７】
【数５】
Ｐｎ＝（Ｐｎ，１＊Ｎ１＋Ｐｎ，２＊Ｎ２＋Ｐｎ，３＊Ｎ３）／（Ｎ１＋Ｎ２＋Ｎ３）
ＳＩＲ計算部２８は、ステップＳ１１７においてＳＩＲを計算する。計算式を以下に示す。
【００２８】
【数６】
ＳＩＲ＝Ｐｓ／Ｐｎ
信号点平均値計算部１４がステップＳ１０７において平均値を求める際に、信号点を組み合わせて平均値を計算しても良い。１６ＱＡＭを用いる本実施の形態では、信号点ｐ１の直交成分の平均値Ｓ０，１Ｑと信号点ｐ３の直交成分の平均値Ｓ０，３Ｑは等しくなり、信号点ｐ２の直交成分の平均値Ｓ０，２Ｑと信号点ｐ４の直交成分の平均値Ｓ０，４Ｑは等しくなるとしうる。また、信号点ｐ１の同相成分の平均値Ｓ０，１Ｉと信号点ｐ２の同相成分の平均値Ｓ０，２Ｉは等しくなり、信号点ｐ３の同相成分の平均値Ｓ０，３Ｉと信号点ｐ４の同相成分の平均値Ｓ０，４Ｉは等しくなるとしうる。かかる関係を考慮すると以下の式が成立する。
【００２９】
【数７】
0003553047.tif 000007
次に、図４に示した具体的な数値を用いて、一連のＳＩＲ測定処理を説明する。図４に示すように、受信信号（ｉ，Ｓｉ）＝
（１，  ０．１＋０．２ｉ）、（２，  ０．３−０．７ｉ）、
（３，−０．８−０．９ｉ）、（４，−０．７＋０．４ｉ）、
（５，−０．３＋０．４ｉ）、（６，−０．６−０．９ｉ）、
（７，−０．９＋０．６ｉ）、（８，  ０．７＋０．７ｉ）とする。
【００３０】
ステップＳ１０１において各信号を同相成分ＳｉＩと直交成分ＳｉＱに分けると、図４に示すように、（ｉ，ＳｉＩ，ＳｉＱ）＝
（１，  ０．１，  ０．２）、（２，  ０．３，−０．７）、
（３，−０．８，−０．９）、（４，−０．７，  ０．４）、
（５，−０．３，  ０．４）、（６，−０．６，−０．９）、
（７，−０．９，  ０．６）、（８，  ０．７，  ０．７）となる。
【００３１】
ステップＳ１０３において各成分の絶対値を求めると、図４に示すように、
（ｉ，ＳｉＩ，ＳｉＱ）＝
（１，０．１，０．２）、（２，０．３，０．７）、
（３，０．８，０．９）、（４，０．７，０．４）、
（５，０．３，０．４）、（６，０．６，０．９）、
（７，０．９，０．６）、（８，０．７，０．７）となる。
【００３２】
ステップＳ１０５において各信号点について硬判定を行うと、図４に示すように、（ｉ，ｐｉ）＝（１，４）、（２，３）、（３，１）、（４，２）、
（５，４）、（６，３）、（７，２）、（８，１）となる。
【００３３】
ステップＳ１０７において硬判定結果が等しい信号点ごとに各成分について平均値を計算すると、図４に示すように、（ｊ，Ｓ０，ｊＩ，Ｓ０，ｊＱ）＝
（１，０．７５，０．８）、（２，０．８，０．５）、
（３，０．４５，０．８）、（４，０．２，０．３）となる。
【００３４】
ステップＳ１０９，１１１において硬判定結果が等しい信号点ごとに希望信号電力を求めると、図４に示すように、（ｊ，Ｐｓ，ｊ）＝
（１，１．２）、（２，０．８９）、（３，０．８４）、（４，０．１３）
となり、その平均値はＰｓ＝０．７６６となる。
【００３５】
ステップＳ１１３，１１５において干渉信号電力の平均値を求めると、図４に示すように、ＰＮ＝０．０２２となる。
【００３６】
ステップＳ１１７においてＳＩＲを求めると、ＳＩＲ＝Ｐｓ／ＰＮ＝０．７６６／０．０２２＝３５．３６５となる。
【００３７】
なお、本実施の形態においては、先に希望信号電力を計算し（ステップＳ１０９，１１１）、その後に干渉信号電力計算している（ステップＳ１１３，１１５）。しかし、本発明はかかる実施の形態によって限定されるものではなく、先に干渉信号電力を計算し、その後に希望信号電力を計算するとしても良い。
【００３８】
次に、図５を用いて、希望信号電力の計算に用いる信号点と干渉信号電力の計算に用いる信号点とを決定する方法の一例について説明する。
【００３９】
かかる信号点の決定は、信号点選択制御部３０が行う。信号点選択制御部３０は、（１）複数の候補の中から信号点の組み合わせを抽出し、抽出された組み合わせを信号点選択部１６および２２に選択させて、（２）各組み合わせについてのＳＩＲを記録し、他のＳＩＲと比較して、小さい方のＳＩＲを最小ＳＩＲテーブルに記録し続け、（３）最後に最小ＳＩＲ信号点テーブルに記録されている信号点の組み合わせを、その後のＳＩＲ測定で使用する信号点の組み合わせとして決定する。
【００４０】
ステップＳ２０１において、（１）最小ＳＩＲを記録する最小ＳＩＲテーブル、および（２）最小ＳＩＲを算出する際に用いられた希望信号電力用信号点と、最小ＳＩＲを算出する際に用いられた干渉信号電力用信号点とを記録する最小ＳＩＲ信号点テーブルをそれぞれ空にする。
【００４１】
ステップＳ２０３において、ステップＳ１０１と同様に、受信信号を同相成分と直交成分とに分割する。
【００４２】
ステップＳ２０５において、ステップＳ１０３と同様に、同相成分と直交成分の絶対値をそれぞれ計算する。
【００４３】
ステップＳ２０７において、ステップＳ１０５と同様に、同相成分の絶対値と直交成分の絶対値から信号点の硬判定を行う。
【００４４】
ステップＳ２０９において、ステップＳ１０７と同様に、硬判定された各信号点について平均値を計算する。
【００４５】
ステップＳ２１１において、希望信号電力を計算するために用いる信号点の組み合わせ候補と、干渉信号電力を計算するために用いる信号点の組み合わせ候補とを選択する。
【００４６】
１６ＱＡＭの場合、信号点の組み合わせは以下の１５通り存在する。
（信号点１）、（信号点２）、（信号点３）、（信号点４）、
（信号点１と信号点２）、（信号点１と信号点３）、（信号点１と信号点４）、
（信号点２と信号点３）、（信号点２と信号点４）、（信号点３と信号点４）、
（信号点１と信号点２と信号点３）、（信号点１と信号点２と信号点４）、
（信号点１と信号点３と信号点４）、（信号点２と信号点３と信号点４）、
（信号点１と信号点２と信号点３と信号点４）。
【００４７】
信号点選択制御部３０は、上記１５通りの組み合わせのいずれかを、希望信号電力計算用信号点選択部１６に選択させ、また干渉信号電力計算用信号点選択部２２に選択させる。
【００４８】
例えば、希望信号電力計算用信号点選択部１６に（信号点１と信号点２）を選択させ、干渉信号電力計算用信号点選択部２２に（信号点１と信号点３）を選択させる。
【００４９】
なお、希望信号電力計算用信号点選択部１６と、干渉信号電力計算用信号点選択部２２とに同じ信号点の組み合わせを選択させても良い。例えば、希望信号電力計算用信号点選択部１６および干渉信号電力計算用信号点選択部２２に（信号点１と信号点２と信号点３）を選択させても良い。
【００５０】
ステップＳ２１３において、希望信号電力計算用信号点選択部１６が選択した信号点を用いて、ステップＳ１０９，Ｓ１１１と同様に、希望信号電力の平均値を計算する。また、干渉信号電力計算用信号点選択部２２２が選択した信号点を用いて、ステップＳ１１３，Ｓ１１５と同様に、干渉信号電力の平均値を計算する。
【００５１】
ステップＳ２１５において、ＳＩＲ計算部２８は希望信号電力の平均値と干渉信号電力の平均値との比を計算してＳＩＲを求める。
【００５２】
ステップＳ２１７において、ステップＳ２１５の計算が一番最初の計算かを判断し、「ＮＯ」であるならステップＳ２１９に進み、「ＹＥＳ」であるならステップＳ２２１に進む。
【００５３】
ステップＳ２１９において、ステップＳ２１５で計算されたＳＩＲと最小ＳＩＲテーブルに記録されているＳＩＲとを比較して、ステップＳ２１５で計算されたＳＩＲが、最小ＳＩＲテーブルに記録されているＳＩＲよりも小さいかを判断し、「ＹＥＳ」であるならステップＳ２２１に進み、「ＮＯ」であるならステップＳ２２３に進む。
【００５４】
ステップＳ２２１において、（１）ステップＳ２１５で計算されたＳＩＲを、最小ＳＩＲテーブルに、（２）かかる計算に用いられた希望信号電力計算用信号点の組み合わせと干渉信号電力計算用信号点の組み合わせとを最小ＳＩＲ信号テーブルに記録する。
【００５５】
ステップＳ２２３において、信号点の全ての組み合わせについてＳＩＲを計算したかを判断し、「ＹＥＳ」であるならステップＳ２２５に進み、「ＮＯ」であるならステップＳ２１１に戻る。希望信号電力計算用信号点の組み合わせおよび干渉信号電力計算用信号点の組み合わせがそれぞれ１５通りであるから、希望信号電力計算用信号点と干渉信号電力計算用信号点との組み合わせは、全部で１５＊１５＝２２５通りとなる。
【００５６】
なお、本実施の形態では、全ての組み合わせについてＳＩＲを計算し、その中から最小ＳＩＲを探し出すとしているが、必ずしも全ての組み合わせについて計算しなくても良い。例えば、信号点２と信号点３とは特性が類似するので、この点を考慮して、信号点２または信号点３のいずれか一方を省略しても良い。
【００５７】
つまり、信号点３を省略して、
（信号点１）、（信号点２）、（信号点４）、
（信号点１と信号点２）、（信号点１と信号点４）、（信号点２と信号点４）、
（信号点１と信号点２と信号点４）
の７通りの組み合わせのみを用いるとしても良い。この場合、希望信号電力計算用信号点の組み合わせおよび干渉信号電力計算用信号点の組み合わせがそれぞれ７通りであるから、希望信号電力計算用信号点と干渉信号電力計算用信号点との組み合わせは、全部で７＊７＝４９通りとなる。
【００５８】
また、希望信号電力計算用信号点の組み合わせの種類と、干渉信号電力計算用信号点の組み合わせの種類とは同じでなくても良い。
【００５９】
例えば、希望信号電力計算用信号点の組み合わせは、
（信号点１と信号点２と信号点３）、（信号点１と信号点２と信号点４）、
（信号点１と信号点３と信号点４）、（信号点２と信号点３と信号点４）、
（信号点１と信号点２と信号点３と信号点４）のいずれかであるとし、
一方、干渉信号電力計算用信号点の組み合わせは、ＳＩＲ判定誤り率を大きくする原因となる可能性が高い最も内側の信号点４を除いて、
（信号点１と信号点２）、（信号点１と信号点３）、
（信号点２と信号点３）、（信号点１と信号点２と信号点３）としても良い。
【００６０】
ステップＳ２２５において、最小ＳＩＲ信号点テーブルに記録されている信号点の組み合わせを、その後のＳＩＲ測定で用いる信号点の組み合わせとして決定する。本実施の形態では、全ての組み合わせについてＳＩＲを計算し、最終的に最小ＳＩＲ信号テーブルに記録されている信号点の組み合わせが、希望信号電力計算用信号点の組み合わせ＝（信号点１と信号点２と信号点３と信号点４）、干渉信号電力計算用信号点の組み合わせ＝（信号点１と信号点２と信号点３）であるとする。
【００６１】
このような希望信号電力計算用信号点の組み合わせ、および干渉信号電力計算用信号点の組み合わせの決定は、通信開始当初や、通信中に伝搬環境が大きく変化したときや、予め定めた時間間隔で適宜実施すればよい。
【００６２】
また、伝搬環境と計算で使用する信号点との対応をテーブルとして記録しておき、伝搬環境が変化したらそれに応じて使用する信号点を変えるとしても良い。例えば、ＳＩＲが大きいときは全信号点を使用し、ＳＩＲが小さいときは図３に示す内側の信号点（信号点４）以外の信号点（信号点１と信号点２と信号点３）を使用するとしても良い。伝搬環境には、フェージング周波数や受信部に到来する信号の数が含まれる。
【００６３】
図６に、本実施の形態を用いた場合または従来の技術を用いた場合のそれぞれについての計算器シミュレーションによるＳＩＲ判定誤り率を示す。図７に、計算器シミュレーションの緒元一覧を示す。図６に示すように、本実施の形態によってＳＩＲ判定誤り率を改善することができる。
【００６４】
また、上述のＳＩＲ測定方法において必要とされる各ステップをコンピュータに実行させるプログラムを記録媒体に記録し、これをコンピュータに読み取らせ、実行させることにより、上述したＳＩＲ測定方法を実現することができる。ここで、記録媒体としては、例えばメモリ装置、磁気ディスク装置、光ディスク装置、磁気テープ装置などのプログラムを記録できるような装置が含まれる。
【００６５】
図８は、これら記録媒体に格納されたプログラムを読み取り、そこに記述されたステップに従ってデータの処理を実現するコンピュータシステムの一例を示す概観図である。図８に示すように、コンピュータシステム８５が読み取り可能な記録媒体は、例えば、フロッピーディスク８６、コンパクトディスク８７、ＩＣチップ８８、カセットテープ８９等が挙げられる。このようなＳＩＲ測定プログラムを記録したコンピュータ読み取り可能な記録媒体によれば、ＳＩＲ測定プログラムの保存、運搬、販売等を容易に行うことができる。
【００６６】
【発明の効果】
上記の如く、本発明によれば、希望信号電力計算用信号点の組み合わせと干渉信号電力計算用信号点の組み合わせとを選択することによって、ＳＩＲ判定誤り率を改善することが可能となる。
【図面の簡単な説明】
【図１】本発明の実施の形態にかかるＳＩＲ測定装置の構成を示す機能ブロック図である。
【図２】本発明の実施の形態におけるＳＩＲ測定方法の処理の流れを示すフローチャートである。
【図３】本発明の実施の形態における信号点配置図である。
【図４】本発明の実施の形態における計算処理の具体的内容を示す表である。
【図５】本発明の実施の形態における希望信号電力の計算に用いる信号点と干渉信号電力の計算に用いる信号点とを決定する処理の流れを示すフローチャートである。
【図６】本発明の実施の形態を用いた場合または従来の技術を用いた場合のそれぞれについての計算器シミュレーションによるＳＩＲ判定誤り率を示すグラフである。。
【図７】図６に示した計算器シミュレーションの緒元一覧表である。
【図８】本発明の実施の形態に係るＳＩＲ測定プログラムを記録するコンピュータ読み取り可能な記録媒体を示す図である。
【図９】従来の実施の形態におけるＳＩＲ測定方法の処理の流れを示すフローチャートである。
【符号の説明】
１０  受信部
１２  硬判定部
１４  信号点平均値計算部
１６  希望信号電力計算用信号点選択部
１８  希望信号電力計算部
２０  希望信号電力平均値計算部
２２  干渉信号電力計算用信号点選択部
２４  干渉信号電力計算部
２６  干渉信号電力平均値計算部
２８  ＳＩＲ計算部
３０  信号点選択制御部
【図１】
0003553047.tif 000008
【図２】
0003553047.tif 000009
【図３】
0003553047.tif 000010
【図４】
0003553047.tif 000011
【図５】
0003553047.tif 000012
【図６】
0003553047.tif 000013
【図７】
0003553047.tif 000014
【図８】
0003553047.tif 000015
【図９】
0003553047.tif 000016